(57)【要約】【課題】撮影画像に被写体の情報を関連付けて記録する場合に、被写体とその情報との誤った関連付けを防止することを課題とする。【解決手段】撮像部と、撮像部が取得した画像を表示部に表示するよう制御する表示制御部と、撮像部が取得した画像を画像データとして記録媒体に記録する記録部と、複数のコードの各々に関連付けられた所定の情報を格納するデータベースと、撮像部が取得した画像に写るコードをもとにデータベースを検索し、コードに関連付けられた情報を取得する情報取得部と、を有し、表示制御部は、画像データが記録媒体に記録される前に、情報を撮像部が取得した画像に重ねて表示部に表示するよう制御し、記録部は、画像データと表示部に表示された情報とを関連付けて記録媒体に記録する。【選択図】図１
2019145984.tif 000002
【特許請求の範囲】
【請求項１】
撮像部と、
前記撮像部が取得した画像を表示部に表示するよう制御する表示制御部と、
前記撮像部が取得した画像を画像データとして記録媒体に記録する記録部と、
複数のコードの各々に関連付けられた所定の情報を格納するデータベースと、
前記撮像部が取得した画像に写るコードをもとに前記データベースを検索し、前記コードに関連付けられた情報を取得する情報取得部と、を有し、
前記表示制御部は、前記画像データが前記記録媒体に記録される前に、前記情報を前記撮像部が取得した画像に重ねて前記表示部に表示するよう制御し、
前記記録部は、前記画像データと前記表示部に表示された前記情報とを関連付けて前記記録媒体に記録する
ことを特徴とする撮像装置。
【請求項２】
前記情報取得部により取得した前記情報を、電源切断時に消去する
ことを特徴とする請求項１に記載の撮像装置。
【請求項３】
前記情報取得部により取得した前記情報を、電源切断後も保持する
ことを特徴とする請求項１に記載の撮像装置。
【請求項４】
前記表示制御部は、電源投入時に前記情報が保持されている場合に、前記情報を前記表示部に表示するよう制御する
ことを特徴とする請求項１乃至３のいずれか１項に記載の撮像装置。
【請求項５】
前記表示制御部は、撮影指示が開始されれば、表示している前記情報を非表示にするよう制御する
ことを特徴とする請求項１乃至４のいずれか１項に記載の撮像装置。
【請求項６】
前記撮影指示は、シャッターボタンの半押しが検出されることにより開始される
ことを特徴とする請求項５に記載の撮像装置。
【請求項７】
前記表示制御部は、前記情報が再取得された場合に、前記情報の表示位置を変更して表示するよう制御する
ことを特徴とする請求項１乃至６のいずれか１項に記載の撮像装置。
【請求項８】
前記表示制御部は、前記コードに関連付けられた前記情報が前記データベースに登録されていない場合に、前記情報が未登録である旨の警告を表示するよう制御する
ことを特徴とする請求項１乃至７のいずれか１項に記載の撮像装置。
【請求項９】
前記記録部は、前記コードに関連付けられた前記情報が前記データベースに登録されていない場合に、前記画像データの記録を禁止する
ことを特徴とする請求項１乃至８のいずれか１項に記載の撮像装置。
【請求項１０】
撮像部と、前記撮像部が取得した画像を表示部に表示するよう制御する表示制御部と、前記撮像部が取得した画像を画像データとして記録媒体に記録する記録部と、複数のコードの各々に関連付けられた所定の情報を格納するデータベースと、を有する撮像装置の制御方法であって、
前記撮像部によりコードの画像を取得するステップと、
前記撮像部が取得した画像に写る前記コードをもとに前記データベースを検索し、前記コードに関連付けられた情報を取得するステップと、
前記撮像部により被写体の画像を取得するステップと、
前記被写体の画像を画像データとして前記記録媒体に記録する前に、前記情報を前記撮像部により取得された画像に重ねて前記表示部に表示するよう制御するステップと、を有する
ことを特徴とする制御方法。
【請求項１１】
撮影指示が開始されれば、前記表示部に表示されている前記情報を非表示にするステップと、をさらに有する
ことを特徴とする請求項１０に記載の制御方法。
【請求項１２】
前記撮影指示は、シャッターボタンの半押しが検出されると開始する
ことを特徴とする請求項１１に記載の制御方法。
【請求項１３】
コンピュータを請求項１乃至９のいずれか１項に記載の撮像装置の各手段として機能させるプログラム。
【発明の詳細な説明】
【技術分野】
【０００１】
本発明は、撮像装置、撮像装置の制御方法及びプログラムに関する。
【背景技術】
【０００２】
画像に写るある被写体とその被写体に関する情報とを関連付ける技術が提案されている。例えば、特許文献１には、患者の写真とその患者の識別番号を表すバーコードとを対応付けて表示したシートを出力するシステムが記載されている。また、特許文献２には、患者のリストバンドに付されたバーコードから読み込んだＩＤ情報に基づいてデータベースからその患者の写真をダウンロードし、端末画面に表示するシステムが記載されている。
【先行技術文献】
【特許文献】
【０００３】
【特許文献１】特開２００３−５２７６７号公報
【特許文献２】特開２００２−２３０１８２号公報
【発明の概要】
【発明が解決しようとする課題】
【０００４】
被写体とその被写体に関する情報との関連付けをする一態様として、撮影した被写体の画像を、その被写体に関する情報と関連付けて記録する撮像装置を構成することが考えられる。例えば、予め被写体の情報に関連付けられたバーコード等を読み取り被写体の情報を取得しておき、撮影した被写体の画像データを記録する際に、取得した被写体の情報をその画像データに関連付けることができる。
【０００５】
しかしながら、撮影者が予め取得した被写体の情報を画像の撮影時に特定できない場合、撮影中の画像に写る被写体とは無関係の情報が撮影した画像データに誤って関連付けられる虞があった。
【０００６】
本発明の目的は、撮影画像に被写体の情報を関連付けて記録する場合に、被写体とその情報との誤った関連付けを防止することにある。
【課題を解決するための手段】
【０００７】
本発明の一観点によれば、撮像部と、前記撮像部が取得した画像を表示部に表示するよう制御する表示制御部と、前記撮像部が取得した画像を画像データとして記録媒体に記録する記録部と、複数のコードの各々に関連付けられた所定の情報を格納するデータベースと、前記撮像部が取得した画像に写るコードをもとに前記データベースを検索し、前記コードに関連付けられた情報を取得する情報取得部と、を有し、前記表示制御部は、前記画像データが前記記録媒体に記録される前に、前記情報を前記撮像部が取得した画像に重ねて前記表示部に表示するよう制御し、前記記録部は、前記画像データと前記表示部に表示された前記情報とを関連付けて前記記録媒体に記録する撮像装置が提供される。
【０００８】
本発明の他の一観点によれば、撮像部と、前記撮像部が取得した画像を表示部に表示するよう制御する表示制御部と、前記撮像部が取得した画像を画像データとして記録媒体に記録する記録部と、複数のコードの各々に関連付けられた所定の情報を格納するデータベースと、を有する撮像装置の制御方法であって、前記撮像部によりコードの画像を取得するステップと、前記撮像部が取得した画像に写る前記コードをもとに前記データベースを検索し、前記コードに関連付けられた情報を取得するステップと、前記撮像部により被写体の画像を取得するステップと、前記被写体の画像を画像データとして前記記録媒体に記録する前に、前記情報を前記撮像部により取得された画像に重ねて前記表示部に表示するよう制御するステップと、を有する制御方法が提供される。
【発明の効果】
【０００９】
本発明によれば、撮影画像に被写体の情報を関連付けて記録する場合に、被写体とその情報との誤った関連付けを防止することができる。
【図面の簡単な説明】
【００１０】
【図１】本発明の一実施形態による撮像装置の機能構成を示すブロック図である。
【図２】本発明の一実施形態による撮像装置のハードウェア構成を示すブロック図である。
【図３】本発明の一実施形態による撮像装置の基本動作の一例を示すフローチャートである。
【図４】本発明の一実施形態による撮像装置における患者情報及び警告メッセージの表示例を示す図である。
【図５】本発明の一実施形態による撮像装置の電源切断時における患者情報の消去処理の一例を示すフローチャートである。
【図６】本発明の一実施形態による撮像装置における患者情報の表示処理の一例を示すフローチャートである。
【図７】本発明の一実施形態による撮像装置における患者情報の表示位置の変更例を示す図である。
【発明を実施するための形態】
【００１１】
本発明の一実施形態による撮像装置及び撮像装置の制御方法について、図１乃至図７を用いて説明する。
【００１２】
はじめに、本実施形態による撮像装置の概略構成について、図１及び図２を用いて説明する。図１は、本実施形態による撮像装置の機能構成を示すブロック図である。図２は、本実施形態による撮像装置のハードウェア構成を示すブロック図である。
【００１３】
本実施形態による撮像装置は、図１に示すように、撮像部１００と、表示制御部１０７と、記録部１２０と、データベース１３０と、情報取得部１４０と、制御部１５０と、を有する。
【００１４】
撮像部１００は、被写体の光学像を電気信号に変換して画像データとして出力するカメラユニットである。撮像部１００は、ＣＣＤイメージセンサやＣＭＯＳイメージセンサ等により構成される撮像素子を含む。撮像部１００は、撮像素子から出力されるアナログ信号をデジタル信号に変換するＡ／Ｄ変換部を含み得る。
【００１５】
データベース１３０は、複数のコードの各々に対して所定の情報（本実施形態では患者情報）を関連付けるための参照テーブルを格納する。コードとは、バーコード等の１次元コードやＱＲコード（登録商標）等の２次元コードであり、数値や文字が図形によって表された識別子である。参照テーブルは、コードから読み取った数値や文字に、患者情報を関連付けるためのものである。例えば、コードは、患者が身につけるリストバンドに付されたバーコードであり、バーコードに関連付けられた患者情報は、その患者のＩＤ番号や氏名である。
【００１６】
情報取得部１４０は、撮像部１００が取得した画像に写るコードから読み取った数値や文字をもとにデータベース１３０を検索し、そのコードに関連付けられた患者情報をデータベース１３０から取得する機能を備える。
【００１７】
表示制御部１０７は、撮像部１００が取得した画像データに基づく画像を表示部１０６（図２参照）に表示するよう制御する機能を備える。また、表示制御部１０７は、情報取得部１４０がデータベース１３０から取得した患者情報を、撮像部１００が取得した画像データに基づく画像に重ねて表示部１０６に表示するよう制御する機能を備える。なお、撮像部１００が取得した画像データは、撮像部１００が取得した画像データに基づく画像をリアルタイムで表示部１０６に表示する機能、いわゆるライブビュー機能にも利用される。
【００１８】
記録部１２０は、撮像部１００が取得した画像データを、図示しない記録媒体に記録する機能を備える。記録媒体は、例えばフラッシュメモリ等であり、撮像装置本体から着脱可能でもよいし、着脱不能でもよい。また、記録部１２０は、撮像部１００が取得した画像データに、情報取得部１４０がデータベース１３０から取得した患者情報を関連付けて記録する機能を備える。なお、撮像部１００が取得した画像データと、情報取得部１４０がデータベース１３０から取得した患者情報とを関連付けて記録する態様は、特に限定されるものではない。例えば、画像データに情報データを付加した１つのファイルとして記録する方法や、画像データと患者情報データとをファイル名等によって関連付けられた別々のファイルとして記録する方法等が挙げられる。
【００１９】
制御部１５０は、撮像部１００、表示制御部１０７、記録部１２０、情報取得部１４０の全体の制御を司る機能を備える。
【００２０】
図１に示す撮像装置の各機能は、例えば図２に示すハードウェア構成によって実現可能である。
本実施形態による撮像装置は、図２に示すように、撮像部１００と、ＣＰＵ（中央処理装置）１０１と、ＲＡＭ１０２と、ＲＯＭ１０３と、バス１０４と、操作部１０５と、表示部１０６と、表示制御部１０７と、を有する。更に、撮像装置は、撮像部制御部１０８と、デジタル信号処理部１０９と、エンコーダ部１１０と、外部メモリ制御部１１１と、画像処理部１１２と、を有する。各部は、バス１０４を介して相互に通信可能に接続されている。
【００２１】
撮像部１００は、前述のように、被写体の光学像を電気信号に変換して画像データとして出力するカメラユニットである。
【００２２】
ＣＰＵ１０１は、撮像装置内の各構成部を統括的に制御するプロセッサである。ＣＰＵ１０１は、制御部１５０としての機能を備える。ＲＡＭ１０２は、ＣＰＵ１０１の主メモリ、ワークエリア等として機能するメモリである。ＲＯＭ１０３は、ＣＰＵ１０１で実行される制御プログラム等を格納するメモリである。バス１０４は、各種データの伝送経路である。例えば、撮像部１００が取得した画像データは、バス１０４を介して所定の処理部に伝送される。
【００２３】
操作部１０５は、撮影者からの指示を撮像装置に入力するデバイスである。操作部１０５は、例えば電源ボタン、シャッターボタン、モードダイヤル等により構成される。モードダイヤルは、例えば、情報取得モード、撮影モード等の動作モードを切り替えるダイヤルである。
【００２４】
表示部１０６は、画像や文字等の表示を行う表示装置であり、例えば液晶ディスプレイ等により構成される。表示部１０６は、タッチスクリーンとしてのタッチ入力機能を備えていてもよく、その場合はタッチスクリーンも操作部１０５に該当する。撮像装置がファインダーを有する場合、ファインダーも表示部１０６に該当する。
【００２５】
表示制御部１０７は、表示部１０６に表示される画像や文字等の表示制御を行うためのインターフェースである。
【００２６】
撮像部制御部１０８は、ＣＰＵ１０１からの指示に基づき、例えばフォーカス調整、シャッター開閉、開口絞り調節等の撮像部１００の制御を行う。
【００２７】
デジタル信号処理部１０９は、バス１０４を介して受け取った画像データに対し、例えばホワイトバランス処理、ガンマ処理、ノイズ低減処理等の画像処理を行う。
【００２８】
エンコーダ部１１０は、バス１０４を介して受け取った画像データを、例えばＪＰＥＧ、ＭＰＥＧ等のファイルフォーマットに変換する処理を行う。
【００２９】
外部メモリ制御部１１１は、撮像装置をＰＣや記録メディア（例えば、ハードディスク、メモリカード、ＣＦカード、ＳＤカード、ＵＳＢメモリ等）に接続するためのインターフェースである。撮像部１００が取得した画像データや画像処理部１１２が生成した画像データは、外部メモリ制御部１１１を介して、図示しない記録媒体に記録される。すなわち、外部メモリ制御部１１１は、記録部１２０としての機能を備える。
【００３０】
画像処理部１１２は、撮像部１００が取得した画像データやデジタル信号処理部１０９が出力した画像データを用いて、表示画像の生成等の画像処理を行う。また、画像処理部１１２は、撮像部１００が取得した画像に写るコードを解析する。すなわち、画像処理部１１２は、情報取得部１４０としての機能を備える。
【００３１】
次に、本実施形態による撮像装置の基本動作について説明する。
撮像装置は、動作モードとして、情報取得モードと、撮影モードと、を含む。情報取得モードは、撮像装置が撮影したコードに基づいてそのコードに関連付けられた患者情報をデータベース１３０から取得するモードである。撮影モードは、被写体の画像データを取得するモードである。動作モードは、操作部１０５を介した撮影者の操作により、選択することができる。なお、情報取得モードから撮影モードへの移行は、情報取得モードにおける患者情報の取得が完了したことに応じて自動的に行うようにしてもよい。
【００３２】
図３は、本実施形態による撮像装置の基本動作の一例を示すフローチャートである。図３に示すステップＳ３０１からステップＳ３１０までのうち、ステップＳ３０１からステップＳ３０５までが情報取得モードにおける動作に対応し、ステップＳ３０６からステップＳ３１０までが撮影モードにおける動作に対応する。
【００３３】
まず、ステップＳ３０１において、撮像部１００は、操作部１０５を介した撮影者の操作に応じて、コードの撮影を行う。ここでは一例として、コードが、患者が身につけるリストバンドに付されたバーコードである場合を想定する。
【００３４】
次いで、ステップＳ３０２において、情報取得部１４０は、所定の解析手段を用いて、撮像部１００が取得した画像に写るコードを読み取って解析を行い、コードが表す文字列を取得する。
【００３５】
次いで、ステップＳ３０３において、情報取得部１４０は、撮像部１００が取得した画像に写るコードの解析結果に基づいてデータベース１３０を検索し、そのコードに関連付けられた患者情報がデータベース１３０に登録されているか否かを判定する。上記の例では、データベース１３０に登録された患者情報は、例えば、バーコードが示す情報に関連付けられた患者のＩＤ番号や氏名である。なお、バーコードが示す情報自体が患者のＩＤ番号であり、データベース１３０には患者の氏名等が登録され、ＩＤ番号に基づいて患者の氏名をデータベース１３０から検索するようにしてもよい。
【００３６】
データベース１３０を検索した結果、撮像部１００により取得した画像に写るコードに関連付けられた情報がデータベース１３０に登録されていない場合（ステップＳ３０３における「ＮＯ」）には、ステップＳ３０４へと移行する。そして、ステップＳ３０４において、表示制御部１０７は、撮像部１００により取得した画像に写るコードに関連付けられた患者情報がデータベース１３０に未登録である旨の警告メッセージを、表示部１０６に表示されているライブビュー画像に重ねて表示する。
【００３７】
図４（ｂ）は、表示部１０６に表示する警告メッセージの一例を示す図である。撮影したコードに関連付けられた患者情報がデータベース１３０に登録されていない場合には、表示制御部１０７は、図４（ｂ）に示すような警告メッセージ４２１をライブビュー画像４００に重ねて表示する。なお、撮影したコードに関連付けられた情報がデータベース１３０に登録されていない場合には、撮影モードにおける撮影指示の受け付けを禁止するようにしてもよい。
【００３８】
データベース１３０を検索した結果、撮像部１００により取得した画像に写るコードに関連付けられた患者情報がデータベース１３０に登録されている場合（ステップＳ３０３における「ＹＥＳ」）には、ステップＳ３０５へと移行する。そして、ステップＳ３０５において、情報取得部１４０は、撮像部１００が取得した画像に写るコードに関連付けられた患者情報をデータベース１３０から取得する。
【００３９】
撮影モードでは、情報取得モードにおいて撮影したコードに関連する被写体の撮影を行う。上記の例では、被写体は、バーコードが付されたリストバンドを身につけた患者である。
【００４０】
次いで、ステップＳ３０６において、表示制御部１０７は、撮影モードにおいて被写体の撮影指示が行われるまでの間、情報取得部１４０がデータベース１３０から取得した患者情報を、表示部１０６に表示されているライブビュー画像に重ねて表示する。患者情報をライブビュー画像に重ねて表示することにより、撮影者は、撮影しようとする被写体の画像データに関連付けて記録される予定の患者情報を一見して把握することができる。例えば、コードの撮影に失敗して前回の被写体の患者情報のままであったり、コードの読み取りを誤って異なる患者情報を取得したりしている等のエラーがあれば、撮影者がライブビュー画像の被写体と患者情報が一致しないことに簡単に気づくことができる。そして、撮影者は、被写体が身につけているリストバンドのコードを撮影し直し、上述のステップＳ３０１からの処理をやり直すことにより、正しい患者情報へ変更することができる。よって、被写体とその患者情報との誤った関連付けを防止することができる。なお、表示部１０６への患者情報の表示は、連続的でもよいし、断続的でもよい。
【００４１】
図４（ａ）は、表示部１０６に表示する患者情報の一例を示す図である。情報取得モードにおいて撮影したコードに関連付けられた患者情報がデータベース１３０に登録されている場合には、表示制御部１０７は、図４（ａ）に示すような患者情報をライブビュー画像４００に重ねて表示する。この例におけるコードは、例えば、患者が身につけるリストバンドに付されたバーコードであり、バーコードに関連付けられた患者情報は、その患者のＩＤ番号や氏名である。なお、図４（ａ）においては、情報取得モードにおいて撮影したバーコードのサムネイル画像４１０、患者のＩＤ番号４１１、患者の氏名４１２が表示部１０６に表示されているが、バーコードのサムネイル画像４１０を表示しないようにしてもよい。
【００４２】
次いで、ステップＳ３０７において、制御部１５０は、撮影者によりシャッターボタンが半押しされているか否かを判定する。シャッターボタンが半押しされていると判定された場合（ステップＳ３０７における「ＹＥＳ」）には、ステップＳ３０８へと移行する。一方、シャッターボタンが半押しされていないと判定された場合（ステップＳ３０７における「ＮＯ」）には、表示部１０６に患者情報を表示した状態を維持し、ステップＳ３０７に戻る。なお、制御部１５０は、撮影者によるシャッターボタンへの操作を、全押しと半押しの２段階で検出する。
【００４３】
次いで、ステップＳ３０８において、表示制御部１０７は、表示部１０６に表示している患者情報を非表示にする。シャッターボタンの半押しは、撮影しようとする被写体を撮影者が確定したことを示す動作、すなわち、撮影指示の開始であると考えられる。患者情報を非表示にすることで、患者情報に邪魔されることなく、撮影者が撮影しようとする被写体を表示部１０６において、より確認し易くすることができる。なお、本実施形態ではシャッターボタンが半押しされていると判定された場合に、患者情報を非表示にするようにしたが、シャッターボタンの代わりに他の操作部材が操作されたことを検知することにより、非表示にするようにしてもよい。また、患者情報を表示した後、所定時間が経過すると、非表示にするようにしてもよい。
【００４４】
次いで、ステップＳ３０９において、制御部１５０は、撮影者によりシャッターボタンが全押しされて被写体の撮影画像の記録指示が行われたか否かを判定する。被写体の撮影画像の記録指示が行われたと判定された場合（ステップＳ３０９における「ＹＥＳ」）には、ステップＳ３１０へと移行する。一方、被写体の撮影画像の記録指示が行われていないと判定された場合（ステップＳ３０９における「ＮＯ」）には、ステップＳ３０６に戻り、表示制御部１０７は、再び患者情報を表示部１０６に表示されているライブビュー画像に重ねて表示する。制御部１５０は、例えば、シャッターボタンの押下操作が解除された場合や、撮影者がシャッターボタンを押す力を弱めて半押しを止めて検出されなくなった場合等に、被写体の撮影画像の記録指示が行われていないと判定する。
【００４５】
次いで、ステップＳ３１０において、記録部１２０は、シャッターボタンの全押しが検知されたことに応答して、撮像部１００が取得した被写体の画像データを、情報取得部１４０がデータベース１３０から取得した患者情報に関連付けて記録媒体に記録する。
【００４６】
情報取得モードにおいて撮影したコードに基づいて、ステップＳ３０５においてデータベース１３０から取得した患者情報は、撮影モードにおいて取得した被写体の画像データに関連付けて記録する予定の情報として、ＲＡＭ１０２等のメモリに一時的に保持される。ステップＳ３０６において患者情報を表示する際には、このメモリに保持されている患者情報が読み出されて、ライブビュー画像とともに表示部１０６に表示される。また、ステップＳ３１０において被写体の画像データを記録する際には、このメモリに保持されている患者情報が、被写体の画像データに関連付けて記録される患者情報として読み出される。メモリに保持された患者情報は、情報取得モードにおいてステップＳ３０１からＳ３０５までの処理が実行され、新たな患者情報が取得されるたびに書き換えられる。
【００４７】
また、撮影者の操作により、メモリに保持された患者情報を任意に消去できるようにしてもよい。メモリに保持された患者情報は、撮像装置の電源切断と連動して消去することも可能である。例えば、撮影者の設定により、撮像装置の電源切断時にメモリに保持された患者情報を自動的に消去するようにしてもよい。また、メモリに保持された患者情報を消去するか否かについて、撮像装置の電源切断時に撮影者に問い合わせることにより、メモリに保持された患者情報を消去するか又は電源切断後も保持するかを撮影者が選択できるようにしてもよい。
【００４８】
図５は、撮像装置の電源切断時における患者情報の消去処理の一例を示すフローチャートである。
【００４９】
まず、ステップＳ５０１において、制御部１５０は、操作部１０５を介した撮影者の操作に応じて電源切断する時に、メモリに保持された患者情報を自動消去する設定であるか否かを判定する。
【００５０】
判定の結果、自動消去する設定である場合（ステップＳ５０１における「ＹＥＳ」）には、ステップＳ５０２へと移行する。そして、ステップＳ５０２において、制御部１５０は、メモリに保持された患者情報を消去する。その後、ステップＳ５０３へと移行する。一方、自動消去する設定でない場合（ステップＳ５０１における「ＮＯ」）には、メモリに保持された患者情報を消去することなく、ステップＳ５０３へと移行する。
【００５１】
次いで、ステップＳ５０３において、制御部１５０は、所定のシャットダウン・シーケンスに基づいて撮像装置の電源を切断する。その際、メモリに患者情報が保持されている場合には（Ｓ５０１における「ＮＯ」）、必要に応じて、その患者情報を不揮発性メモリ等に退避する等、メモリに保持された患者情報が電源切断により消失しないようにするための所定の処理を行う。
【００５２】
撮像装置の電源投入時に患者情報が保持されている場合には、保持されている患者情報を直ちに、表示部１０６に表示するようにしてもよい。
【００５３】
次に、本実施形態による患者情報の表示処理について説明する。
撮像装置は、取得した患者情報を、図３におけるステップＳ３０６の患者情報表示処理において、ライブビュー画像に重ねて表示する。この際、撮像装置は、患者情報を再取得する場合には、再取得した患者情報の表示位置を変更するようにしてもよい。患者情報の表示位置を変更することにより、表示する患者情報が変更されたことの視認性を高めることができる。なお、表示する患者情報が変更されたことの視認性を高めるために、患者情報の表示位置を変更するのではなく、表示色を変更するようにしてもよいし、患者情報の表示位置の変更と、表示色の変更とを合わせて行うようにしてもよい。
【００５４】
図６は、本実施形態による撮像装置における患者情報の表示処理の一例を示すフローチャートである。図６においては、表示部１０６における患者情報の表示位置が３箇所である場合について説明する。
【００５５】
まず、ステップＳ６０１において、制御部１５０は、カウンタ変数ｉの値を０に設定する。制御部１５０は、例えば、情報取得部１４０が患者情報を取得した場合や、撮像装置の電源投入時に保持されている患者情報を初期表示すると判定した場合等に、カウンタ変数ｉの値を０に設定する。以下、撮像装置の電源投入時の場合を一例として説明する。
【００５６】
次いで、ステップＳ６０２において、制御部１５０は、患者情報が撮像装置の電源投入後の（３ｉ＋１）件目の表示であるか否かを判定する。
【００５７】
患者情報が撮像装置の電源投入後の（３ｉ＋１）件目の表示であると判定された場合（ステップＳ６０２における「ＹＥＳ」）には、ステップＳ６０３へと移行する。そして、ステップＳ６０３において、表示制御部１０７は、表示部１０６の第１表示位置７２０に患者情報を表示する。図７（ａ）は、表示部１０６における患者情報の第１表示位置７２０の一例を示す図である。
【００５８】
患者情報が撮像装置の電源投入後の（３ｉ＋１）件目の表示でないと判定された場合（ステップＳ６０２における「ＮＯ」）には、ステップＳ６０４へと移行する。そして、ステップＳ６０４において、制御部１５０は、患者情報が撮像装置の電源投入後の（３ｉ＋２）件目の表示であるか否かを判定する。
【００５９】
患者情報が撮像装置の電源投入後の（３ｉ＋２）件目の表示であると判定された場合（ステップＳ６０４における「ＹＥＳ」）には、ステップＳ６０５へと移行する。そして、ステップＳ６０５において、表示制御部１０７は、表示部１０６の第１表示位置７２０とは異なる第２表示位置７２１に患者情報を表示する。図７（ｂ）は、表示部１０６における患者情報の第２表示位置７２１の一例を示す図である。
【００６０】
患者情報が撮像装置の電源投入後の（３ｉ＋２）件目の表示でないと判定された場合（ステップＳ６０４における「ＮＯ」）には、ステップＳ６０６へと移行する。そして、ステップＳ６０６において、制御部１５０は、患者情報が撮像装置の電源投入後の（３ｉ＋３）件目の表示であるか否かを判定する。
【００６１】
患者情報が撮像装置の電源投入後の（３ｉ＋３）件目の表示であると判定された場合（ステップＳ６０６における「ＹＥＳ」）には、ステップＳ６０７へと移行する。そして、ステップＳ６０７において、表示制御部１０７は、表示部１０６の第１表示位置７２０及び第２表示位置７２１とは異なる第３表示位置７２２に患者情報を表示する。図７（ｃ）は、表示部１０６における患者情報の第３表示位置７２２の一例を示す図である。
【００６２】
患者情報が撮像装置の電源投入後の（３ｉ＋３）件目の表示でないと判定された場合（ステップＳ６０６における「ＮＯ」）には、ステップＳ６０８へと移行する。そして、ステップＳ６０８において、制御部１５０は、カウンタ変数ｉに１を加算してステップＳ６０２に戻る。以降、患者情報の表示位置が決まるまで、ステップＳ６０２からステップＳ６０８までを繰り返す。すなわち、撮像装置の電源投入後、１件目の患者情報は第１表示位置７２０に、２件目は第２表示位置７２１に、３件目は第３表示位置７２２に表示される。更に、４件目は再び第１表示位置７２０に表示され、５件目以降についても順番に表示位置が変更される。患者情報の表示位置を変更することにより、患者情報が変更されたことを一見して把握することができる。
【００６３】
このように、本実施形態によれば、撮影画像に被写体の情報を関連付けて記録する場合に、被写体とその情報との誤った関連付けを防止することができる。
【００６４】
［変形実施形態］
本発明は、上述の実施形態に限らず種々の変形が可能である。
例えば、撮像装置は、顔認証機能を更に備えていてもよい。撮像装置は、取得した患者情報が人物の顔画像データに関連付けて予め登録されている場合には、その顔画像データと、ライブビュー画像に写る人物の顔とを照合し、別人物と判定した時に警告する。例えば、撮像装置が、Ａさんの顔画像データに関連付けて予め登録されているＡさんの患者情報をメモリに保持している時に、Ｂさんを撮影してライブビュー画像に表示している場合を一例として説明する。この場合、撮像装置は、Ａさんの顔画像データとＢさんの顔とを照合し、別人物であると判定して警告を行う。よって、撮影者は、Ａさんの患者情報を、誤ってＢさんの写る撮影画像に関連付けて記録することを防止することができる。
【００６５】
また、上述の実施形態では、被写体の撮影画像データに関連付けて記録する情報を、コードに関連付けられた患者情報として説明したが、そのコードのサムネイル画像データも合わせて被写体の撮影画像データに関連付けて記録してもよい。
【００６６】
また、上述の実施形態では、被写体を人物として説明したが、被写体は、情報取得モードにおいて撮影したコードに関連していればよく、必ずしも人物でなくてもよい。
【００６７】
また、上述の実施形態では、表示部１０６における患者情報の表示位置を３箇所として説明したが、患者情報の表示位置は、必ずしも３箇所でなくてもよい。
【００６８】
本発明は、上述の実施形態の１以上の機能を実現するプログラムを、ネットワーク又は記録媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【００６９】
なお、上述の実施形態は、いずれも本発明を実施するにあたっての具体化の例を示したものに過ぎず、これらによって本発明の技術的範囲が限定的に解釈されてはならない。すなわち、本発明はその技術思想、又はその主要な特徴から逸脱することなく、様々な形で実施することができる。
【符号の説明】
【００７０】
１００…撮像部
１０６…表示部
１０７…表示制御部
１２０…記録部
１３０…データベース
１４０…情報取得部
１５０…制御部
【図１】
2019145984.tif 000003
【図２】
2019145984.tif 000004
【図３】
2019145984.tif 000005
【図４】
2019145984.tif 000006
【図５】
2019145984.tif 000007
【図６】
2019145984.tif 000008
【図７】
2019145984.tif 000009